(57)【要約】【課題】外部電極と内部コイルの引き出し線との間の接触面積を減らすとともに、外部電極と内部コイルとの間の接触性を改善し、内部コイルの引き出し線付近で過めっきが発生することを防止する。【解決手段】本発明は、コイル本体、及び第１及び第２引き出し部を含む内部コイルと、上記内部コイルと電気的に連結される第１及び第２外部電極と、を含むコイル部品に関するものである。上記第１及び第２引き出し部のうち一つ以上は、第１引き出し線及び第２引き出し線と、上記第１引き出し線及び第２引き出し線のうち一つ以上と連結され、外部電極と直接連結される少なくとも一つの延長線と、を含む。【選択図】図２
2018207093.tif 000002
【特許請求の範囲】
【請求項１】
支持部材、前記支持部材によって支持される内部コイル、及び前記支持部材と前記内部コイルとを封止する磁性材料を含み、厚さ方向において互いに対向する上面及び下面、長さ方向において互いに対向する第１端面及び第２端面、及び幅方向において互いに対向する第１側面及び第２側面を含む本体と、
前記本体の外部面上に配置される第１外部電極及び第２外部電極と、を含み、
前記内部コイルは、コイル本体と、前記コイル本体の一端及び他端とそれぞれ連結される第１引き出し部及び第２引き出し部と、を含み、
前記第１引き出し部は、幅方向において互いに離隔される第１引き出し線及び第２引き出し線を含み、前記第１引き出し線及び前記第２引き出し線ならびに前記コイル本体によって形成される開口部を含み、前記開口部は前記磁性材料で充填され、
前記第１引き出し部は、前記第１外部電極と連結されて、前記第１外部電極と前記内部コイルとの間の接触面積を拡大する、少なくとも一つの延長線を含む、コイル部品。
【請求項２】
前記少なくとも一つの延長線は、前記第１引き出し線及び前記第２引き出し線と１８０°未満の角度を形成する、請求項１に記載のコイル部品。
【請求項３】
前記第２引き出し部は、前記内部コイルのコイル中心を基準に、前記第１引き出し部と対称的な構造を有する、請求項１又は２に記載のコイル部品。
【請求項４】
前記少なくとも一つの延長線の少なくとも一エッジは切断線である、請求項１から３のいずれか一項に記載のコイル部品。
【請求項５】
前記第１引き出し線と前記第２引き出し線との間には、前記第１引き出し線及び前記第２引き出し線から幅方向において離隔され、前記第１引き出し線及び前記第２引き出し線と平行な少なくとも一つの第３引き出し線をさらに含む、請求項１から４のいずれか一項に記載のコイル部品。
【請求項６】
前記少なくとも一つの延長線は、前記第１引き出し線と前記第２引き出し線との間で連続的に形成される単一の延長線である、請求項１から４のいずれか一項に記載のコイル部品。
【請求項７】
幅方向を基準に、前記第１引き出し線と前記第２引き出し線との間で離隔される長さは、前記延長線と前記第１外部電極とが接触しているエッジの長さと同一であるか、又はさらに短い、請求項６に記載のコイル部品。
【請求項８】
前記延長線の断面はストリップ状である、請求項６又は７に記載のコイル部品。
【請求項９】
前記少なくとも一つの延長線は、前記第１引き出し線と前記第２引き出し線の間で不連続に形成され、幅方向及び長さ方向のうち少なくとも一つ以上に互いに離隔される複数の延長片を含む、請求項１から５のいずれか一項に記載のコイル部品。
【請求項１０】
前記複数の延長片は、前記開口部に対する幅方向の中心線を基準に対称的である、請求項９に記載のコイル部品。
【請求項１１】
前記複数の延長片のそれぞれはストリップ状を有し、それぞれのストリップ状の最大幅は同一である、請求項９又は１０に記載のコイル部品。
【請求項１２】
前記複数の延長片のそれぞれはストリップ状を有し、それぞれのストリップ状の最大幅は異なる、請求項９に記載のコイル部品。
【請求項１３】
前記第１引き出し線及び前記第２引き出し線ならびに前記少なくとも一つの延長線は互いに同一の平面上に配置される、請求項１から１２のいずれか一項に記載のコイル部品。
【請求項１４】
前記第１引き出し線及び前記第２引き出し線ならびに前記少なくとも一つの延長線は互いに同一の材料で構成される、請求項１から１３のいずれか一項に記載のコイル部品。
【請求項１５】
前記第１引き出し部及び前記第２引き出し部は、前記支持部材によって支持され、前記支持部材と直接接するベース層、及び前記ベース層上に配置されるめっき層で構成される、請求項１から１４のいずれか一項に記載のコイル部品。
【請求項１６】
前記第１引き出し線及び前記第２引き出し線、前記少なくとも一つの延長線、及び前記コイル本体は境界面がない一体に構成される、請求項１から１５のいずれか一項に記載のコイル部品。
【請求項１７】
支持部材、前記支持部材上に配置される内部コイル、及び前記支持部材と前記内部コイルとを封止する磁性材料を含む本体と、
前記本体の外部面上に配置され、前記支持部材上に配置される第１引き出し部及び第２引き出し部のそれぞれを介して前記内部コイルと電気的に連結される第１外部電極及び第２外部電極と、を含み、
前記第１引き出し部は、前記磁性材料で充填される一つ以上の開口部を含み、前記第１引き出し部の前記開口部のうち少なくとも一つ以上は、第１延長部の導電配線により前記第１外部電極から離隔される、コイル部品。
【請求項１８】
前記第１引き出し部の前記導電配線は前記第１外部電極と直接接触する、請求項１７に記載のコイル部品。
【発明の詳細な説明】
【技術分野】
【０００１】
本発明は、コイル部品に関するものであり、具体的には、薄膜型パワーインダクタに関するものである。
【背景技術】
【０００２】
最近、携帯用無線通信機器及びウェアラブル機器の発展により、高機能の軽薄短小の部品が要求されている。特に、最新の携帯用のスマートフォン及びウェアラブル機器は、使用周波数が高周波化されるにつれて、使用周波数領域における安定した電源供給が必要である。これにより、電源端において電流の急激な変化を抑制する機能を有するパワーインダクタには、スマートフォン及びウェアラブル機器の発展に伴い、徐々に高周波数及び高電流で使用できるものが要求される。
【０００３】
そこで、内部コイルパターンのめっき厚さの均一性を確保するための方法として外部電極の露出部の面積を減らすようにしたが、チップの外部電極との接触面積が減少してＲｄｃが増加し、チップの特性が悪くなった。
【先行技術文献】
【特許文献】
【０００４】
【特許文献１】特開１９９９−２０４３３７号公報
【発明の概要】
【発明が解決しようとする課題】
【０００５】
本発明が解決しようとするいくつかの課題のうちの一つは、外部電極と内部コイルの引き出し線との間の接触面積を減らすとともに、外部電極と内部コイルとの間の接触性を改善し、内部コイルの引き出し線付近で過めっきが発生することを防止することである。
【課題を解決するための手段】
【０００６】
本発明の一例によるコイル部品は、支持部材、内部コイル、及び上記支持部材と上記内部コイルとを封止する磁性材料を含む本体と、上記本体の外部面上に配置される第１及び第２外部電極と、を含む。上記内部コイルは、コイル本体と、上記コイル本体の一端及び他端とそれぞれ連結される第１引き出し部及び第２引き出し部と、を含み、上記第１引き出し部は、幅方向において互いに離隔される第１引き出し線及び第２引き出し線を含み、上記第１引き出し線及び第２引き出し線ならびにコイル本体によって形成される開口部を含み、上記開口部は上記磁性材料で充填され、上記第１引き出し部は、上記第１外部電極と連結されて、上記第１外部電極と上記内部コイルとの間の接触面積を拡大する少なくとも一つの延長線を含む。
【０００７】
本発明の他の例によるコイル部品は、支持部材、上記支持部材上に配置される内部コイル、及び上記支持部材と上記内部コイルとを封止する磁性材料を含む本体と、上記本体の外部面上に配置され、上記支持部材上に配置される第１引き出し部及び第２引き出し部のそれぞれを介して上記内部コイルと電気的に連結される第１及び第２外部電極と、を含み、上記第１引き出し部は、上記磁性材料で充填される一つ以上の開口部を含み、上記第１引き出し部の上記開口部のうち少なくとも一つ以上は、上記第１延長部の導電配線により上記第１外部電極から離隔される。
【０００８】
また、上記コイル部品において、上記第１引き出し部の上記導電配線は上記第１外部電極と直接接触すればよい。
【発明の効果】
【０００９】
本発明のいくつかの効果のうちの一つは、外部電極と内部コイルの引き出し線との間の接触性を強化してＲｄｃを減らし、過めっきを防止してめっき厚さの均一性を改善するコイル部品を提供することである。
【図面の簡単な説明】
【００１０】
【図１】本発明の一例によるコイル部品の概略的な斜視図である。
【図２】図１の概略的な上面図である。
【図３】図２の第１変形例によるコイル部品の上面図である。
【図４ａ】図２の第２変形例によるコイル部品の上面図である。
【図４ｂ】図４ａの切断前の概略的な上面図の一部である。
【図５ａ】図２の第３変形例によるコイル部品の上面図である。
【図５ｂ】図５ａの切断前の概略的な上面図の一部である。
【図６ａ】図２の第４変形例によるコイル部品の上面図である。
【図６ｂ】図６ａの切断前の概略的な上面図の一部である。
【発明を実施するための形態】
【００１１】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために拡大縮小表示（又は強調表示や簡略化表示）がされることがあり、図面上の同一の符号で示される要素は同一の要素である。
【００１２】
なお、本発明を明確に説明すべく、図面において説明と関係ない部分は省略し、様々な層及び領域を明確に表現するために厚さを拡大して示し、同一思想の範囲内において機能が同一である構成要素に対しては同一の参照符号を用いて説明する。
【００１３】
さらに、明細書全体において、ある構成要素を「含む」というのは、特に反対である記載がない限り、他の構成要素を除外するのではなく、他の構成要素をさらに含むことができるということを意味する。
【００１４】
以下では、本発明の一例によるコイル部品を説明するが、必ずしもこれに制限されるものではない。
【００１５】
コイル部品
図１は本発明の一例によるコイル部品の概略的な斜視図であり、図２は図１の概略的な上面図である。
【００１６】
図１及び図２を参照すると、コイル部品１００は、本体１と、上記本体の外部面上に配置される第１及び第２外部電極２１、２２と、を含む。
【００１７】
上記本体１は、コイル部品の全体的な外観を形成し、厚さ（Ｔ）方向において互いに対向する上面及び下面、幅（Ｗ）方向において互いに対向する第１側面及び第２側面、及び長さ（Ｌ）方向において互いに対向する第１端面及び第２端面を含むことで実質的に六面体状を有することができるが、これに限定されるものではない。
【００１８】
上記本体１は、磁性特性を有する磁性材料１１と、上記磁性材料によって封止される支持部材１２と、内部コイル１３と、を含む。
【００１９】
上記磁性材料１１は、例えば、フェライト又は金属系軟磁性材料であってもよい。上記フェライトとして、Ｍｎ−Ｚｎ系フェライト、Ｎｉ−Ｚｎ系フェライト、Ｎｉ−Ｚｎ−Ｃｕ系フェライト、Ｍｎ−Ｍｇ系フェライト、Ｂａ系フェライト又はＬｉ系フェライトなどの公知のフェライトを含むことができる。上記金属系軟磁性材料としては、Ｆｅ、Ｓｉ、Ｃｒ、Ａｌ、及びＮｉからなる群より選択されたいずれか一つ以上を含む合金であってもよく、例えば、Ｆｅ−Ｓｉ−Ｂ−Ｃｒ系非晶質金属粒子を含むことができるが、これに制限されるものではない。上記金属系軟磁性材料の粒径は０．１μｍ以上２０μｍ以下であってもよく、エポキシ樹脂又はポリイミドなどの高分子上に分散された形で含まれることができる。
【００２０】
上記支持部材１２は、内部コイルを支持し、内部コイルをより薄型に形成することができるようにする構成であるが、実質的に上記支持部材１２の全体的な形状は、それによって支持される内部コイルの形状に対応する。上記支持部材は、絶縁特性を有する薄板の形で構成されることが適切であり、例えば、ＰＣＢ基板であってもよいが、これに限定されるものではない。上記支持部材１２の厚さは、上記内部コイルを支持する適切な程度であれば十分であり、例えば、約６０μｍであることが好ましい。上記支持部材は、中央に貫通孔Ｈを含み、上記貫通孔Ｈは、磁性材料で充填されて磁気コアの機能を行い、コイル部品の透磁率を増加できるようにする。
【００２１】
次に、上記支持部材によって支持される内部コイル１３を見ると、上記内部コイルは、全体的にスパイラル状を有するコイル本体１３１と、上記コイル本体の一端及び他端とそれぞれ連結される第１引き出し部１３２及び第２引き出し部１３３と、を含む。上記第１引き出し部は、支持部材の上部において上記第１外部電極と連結される部分であり、上記第２引き出し部は、支持部材の下部において上記第２外部電極と連結される部分である。上記第１引き出し部と第２引き出し部は支持部材内に含まれるビア電極Ｖを介して電気的に連結されることができる。また、具体的に示してはいないが、第１及び第２引き出し部は、支持部材によって支持されるため、上記支持部材と直接接しながらシードパターンとして機能するベース層と、上記ベース層上に配置されるめっき層と、を含む。上記めっき層は、当業者が適宜選択して異方めっき層及び等方めっき層の一つ以上の組み合わせによって構成することができる。
【００２２】
上記第１引き出し部は実質的に第２引き出し部と対称的に構成される。ここで、「対称的に構成される」とは、その形状及びサイズなどが同一であることを意味する。したがって、説明の便宜のために、第１外部電極と連結される第１引き出し部を基準として説明するが、第２外部電極と連結される第２引き出し部にも上記第１引き出し部についての説明がそのまま適用されることができる。
【００２３】
図１及び図２を参照すると、第１引き出し部１３２は、幅方向において互いに離隔される第１引き出し線１３２１及び第２引き出し線１３２２を含む。上記第１及び第２引き出し線は、ともにコイル本体１３１と直接連結され、上記第１引き出し線及び第２引き出し線ならびに上記コイル本体により開口部ｈが形成される。上記開口部の内部は磁性材料で充填される。上記開口部ｈは、磁性材料を充填できる空間を拡大する機能を行うとともに、第１引き出し部を形成する際にめっきの面積が広くなると懸念される過めっきを防止して均一なめっき厚さを構成するようにする機能を行う。
【００２４】
上記第１引き出し線１３２１の一端は第１外部電極と連結され、他端はコイル本体と連結されて、全体的にストリップ状に構成される。上記第２引き出し線１３２２の一端は第１外部電極と連結され、他端はコイル本体と連結されて、全体的にストリップ状に構成される。第１引き出し線と第２引き出し線は、実質的に同一の形状を有し、その長さにおいて、第１引き出し線が第２引き出し線よりもさらに長く構成される。
【００２５】
そして、第１引き出し線と第２引き出し線との間には、上記第１及び第２引き出し部と直交するように構成される第１延長線１３２ａが配置される。上記第１延長線は、幅方向に沿って延長されるストリップ状を有し、実質的に第１及び第２引き出し部のそれぞれの幅と同一の幅を有するように構成されることができるが、これに限定されず、当業者がプロセス条件に応じて適切な幅を選択することができる。説明の便宜のために、上記第１延長線１３２ａは、上記第１及び第２引き出し線と区別される境界を有するように示したが、第１延長線ならびに第１引き出し線及び第２引き出し線は、同一のめっき工程を経て一度に形成することができるため、それぞれの引き出し線又は延長線間の境界線は見られないことが好ましい。もちろん、第１及び第２引き出し線と区別される異なる材料又は工程を経て第１延長線を形成する場合には、それぞれの引き出し線又は延長線間の境界線が確認できることは言うまでもない。
【００２６】
上記第１及び第２引き出し線がコイル本体とともに形成する開口部により、第１引き出し部の上面及び下面の断面積が小さくなり、外部に露出する露出面積は逆に増加するため、過めっき、及びめっき厚さの偏差が発生するおそれは減少することができる。但し、このように第１引き出し部に第１及び第２引き出し線を適用して開口部を形成すると、第１引き出し部と第１外部電極との間の接触面積が小さくなって、Ｒｄｃ値が増加するおそれがある。これに対し、本発明のコイル部品は、第１延長線をさらに含むため、第１引き出し部と第１外部電極との間の接触面積を十分に確保することができる。その結果、過めっきの防止、めっき厚さの偏差の防止、Ｒｄｃ特性の低下防止、及び接触面積の十分な確保による信頼性の改善の効果をすべて発揮することができる構造を提示することができる。
【００２７】
図２を参照すると、第１延長線１３２ａが本体の外部に露出している面は、ダイシング切断面Ｄで構成される。ダイシング切断面とそれ以外の外部面を区別するために、ダイシング切断面はより太い線で示す。第１延長線１３２ａの幅、換言すると、長さ方向に延長される長さは、ダイシング工程を介して制御可能であるが、ダイシングブレードの移動幅が予め用意しておいた最初の第１延長線の幅と類似又は同一である場合には、第１延長線を幅方向に並べて配置してダイシング切断面が最大限に露出するようにすることが、外部電極との接触性の改善及びめっき厚さの均一性の確保において有利である。
【００２８】
次に、図３に示すコイル部品２００は、図２のコイル部品１００と対比して、第１引き出し線と第２引き出し線との間に、上記第１引き出し線と第２引き出し線と平行な第３引き出し線１３２３をさらに含む点において異なる。説明の便宜のために、図１及び図２のコイル部品と重複する構成についての説明は省略し、実質的に同一の構成に対しては同一の符号を用いる。
【００２９】
次に、図３のコイル部品２００は、第３引き出し線１３２３をさらに含むため、内部コイルの引き出し部のめっき成長において過めっきが発生する可能性がさらに低くなる。また、第３引き出し線により、内部コイルの上面及び下面に対して磁性成形材を圧着する際に、引き出し部に加わる圧力がさらに分散されることができ、引き出し部のねじれなどの問題が改善されることができるため有利である。具体的に示してはいないが、第１引き出し線と第２引き出し線との間に複数の引き出し線を追加できることはもちろん、それぞれの引き出し線の幅を差別化することができ、形状を波形状やＶ字形状などに変形することができることも言うまでもない。
【００３０】
また、図３のコイル部品２００に含まれる少なくとも一つの延長線は、幅方向において互いに離隔される第１延長線１３２ａ及び第２延長線１３２ｂを含んで複数の延長片を含む。ここで、第１及び第２延長線が第３引き出し線によって互いに離隔されるように示されているが、実質的に同一の材料を使用して１回の工程により第１延長線及び第２延長線ならびに第３引き出し線をすべて形成する場合には、構成間の境界線が確認できないことは言うまでもない。
【００３１】
次に、図４ａは図２の第２変形例によるコイル部品３００の上面図であり、図４ｂは図４ａの切断前の概略的な上面図の一部である。そのため、図４ｂは点線で示されたダイシング切断線Ｄを含む。図４ａ及び図４ｂにおいても、説明の便宜のために、図２と重複する説明は省略し、実質的に同一の構成については同一の符号を用いる。
【００３２】
図４ａを参照すると、コイル部品３００は、第１引き出し線１３２１と第２引き出し線１３２２との間に、上記第１引き出し線１３２１と第２引き出し線１３２２と平行な第３引き出し線１３２３及び第４引き出し線１３２４を含む。第１〜第４引き出し線は、長さ方向と平行であり、幅方向に沿って一定間隔離隔されるように配置される。
【００３３】
また、第１〜第４引き出し線と直交して配置される第１延長線１３２ａ及び第２延長線１３２ｂをさらに含む。上記第１延長線１３２ａは、第２延長線１３２ｂと不連続に配置された延長片で構成される。上記第１延長線は、第２延長線から長さ方向及び幅方向に所定の距離だけ離隔されるように配置される。上記第１延長線と第１外部電極とが互いに接触するエッジと、上記第２延長線と第１外部電極とが互いに接触するエッジを含み、且つ第１及び第２延長線が本体の外部に露出している面は、ダイシング切断面Ｄで構成される。図面では、ダイシング切断面とそれ以外の外部面を区別するために、ダイシング切断面をより太い線で示す。上記第１及び第２延長線が第１外部電極と互いに接するエッジにより、第１外部電極と内部コイルとの間の接触面積がより増加することができ、Ｒｄｃが減少することができる。長さ方向を基準に、上記第１延長線１３２ａの長さ（第１延長線の幅：Ｗ１）は、上記第２延長線１３２ｂの長さ（第２延長線の幅：Ｗ２）よりも短い。これは、後述する図４ｂを参照すると分かるように、切断前に、第２延長線が第１延長線に比べてコイル本体側に配置されたためである。つまり、第２延長線に比べて第１延長線が多く切断されて、第１延長線の多くの部分がチップ内部に残存しなくなる。
【００３４】
図４ｂを参照すると、図４ａのダイシング切断面についてより詳細に分かる。図４ｂにおいて、ダイシング切断面Ｄの右側は、切断後のチップの形として残存する領域（図４ａと一致）であり、左側は、切断後のチップ以外の領域である。図４ｂに示すように、コイル部品３００内に残存する第１及び第２延長線の他に、第１延長線の延長部１３２ａ'及び第２延長線の延長部１３２ｂ'ならびに第３延長線１３２ｃ'が含まれる。上記第２延長線の延長部及び上記第３延長線は、ダイシング工程後に除去される構成であるため、残存する構成と区別するために、図面符号の右上に「'」を付け加えて示した。第１延長線の延長部１３２ａ'と、第１及び第２延長線１３２ａ、１３２ｂと、第３延長線１３２ｃ'とは、第１〜第４引き出し線と全体的に階段状を有するように配置される。図４ｂの第３延長線は、ダイシング切断面をより左側に移動させてチップの長さ方向のサイズを大きくする場合には、チップ内部に残存することもできる構成である。ダイシングブレードを長さ方向に沿って移動させながら作動させる際に、ダイシングブレードの進行方向に沿って互いに離隔されるように複数の延長片を配置させておくと、ダイシングブレードの移動幅が線幅よりも大きいことが原因で延長片のいずれも確保できなくなるおそれを排除できる。
【００３５】
次に、図５ａは図２の第３変形例によるコイル部品４００の上面図であり、図５ｂは図５ａの切断前の概略的な上面図の一部である。そのため、図５ｂは点線で示されたダイシング切断線Ｄを含む。図５ａ及び図５ｂにおいても、説明の便宜のために、図２と重複する説明は省略し、実質的に同一の構成については同一の符号を用いる。
【００３６】
図５ａを参照すると、コイル部品４００は、第１引き出し線１３２１と第２引き出し線１３２２との間に、上記第１引き出し線１３２１及び第２引き出し線１３２２と平行な第３引き出し線１３２３及び第４引き出し線１３２４を含む。第１〜第４引き出し線は、長さ方向と平行であり、幅方向に沿って一定間隔離隔されるように配置される。
【００３７】
また、第１〜第４引き出し線と所定の角度θを形成するように配置される第１延長線１３２ａをさらに含む。上記第１延長線１３２ａと複数の引き出し線との間の角度は、直角よりも小さい鋭角であれば十分であり、当業者が必要に応じて適切に設定することができる。上記第１延長線１３２ａにより、第１外部電極と内部コイルとの間の接触面積が増加し得る。実質的に第１外部電極と内部コイルとが接触しているエッジは図面に太い実線で示す。
【００３８】
上記第１延長線１３２ａは、切断工程の前には、より長い長さを有するストリップ状を有していたが、ダイシング切断面Ｄによってストリップの一部だけが残存するようになる。より詳細な説明のために図５ｂを参照する。
【００３９】
図５ｂにおいて、ダイシング切断面Ｄの右側は切断後のチップの形として残存する領域（図５ａと一致）であり、左側は切断後のチップ以外の領域である。図５ｂから分かるように、コイル部品４００内に残存する第１延長線１３２ａの他に、上記第１延長線から延長される第１延長線の延長部１３２ａ'をさらに含む。上記第１延長線の延長部１３２ａ'は、ダイシング工程後に除去される構成であるため、残存する構成と区別するために、図面符号の右上に「'」を付け加えて示した。上記第１延長線の延長部１３２ａ'と第１延長線１３２ａは、長さ方向に長く伸びる斜線状を有するように形成される。これにより、ダイシングブレードを長さ方向に沿って移動させながら作動させる際に、ダイシングブレードの移動幅がかなり大きくても延長片の少なくとも一部を確保することができる可能性が高くなり、その結果、第１外部電極と第１引き出し部との間の接触面積を増加させることができる可能性が高くなる。
【００４０】
次に、図６ａは図２の第４変形例によるコイル部品５００の上面図であり、図６ｂは図６ａの切断前の概略的な上面図の一部である。そのため、図６ｂは点線で示されたダイシング切断線Ｄを含む。図６ａ及び図６ｂにおいても、説明の便宜のために、図２と重複する説明は省略し、実質的に同一の構成については同一の符号を用いる。
【００４１】
図６ａは、第１引き出し線１３２１と第２引き出し線１３２２との間に、上記第１引き出し線１３２１及び第２引き出し線１３２２と平行な第３引き出し線１３２３及び第４引き出し線１３２４を含む。第１〜第４引き出し線は、長さ方向と平行であり、幅方向に沿って一定間隔離隔されるように配置される。
【００４２】
また、第１〜第４引き出し線と所定の角度θ１、θ２を形成するように配置される第１延長線１３２ａ及び第２延長線１３２ｂをさらに含む。第１延長線１３２ａと第２延長線１３２ｂは互いに不連続に配置される。複数の延長片としての第１及び第２延長線を見ると、上記第１延長線１３２ａと引き出し線との間の角度θ１、及び上記第２延長線１３２ｂと引き出し線との間の角度θ２は、直角よりも小さい鋭角であれば十分であり、当業者が必要に応じて適切に設定することができる。具体的に示してはいないが、第１延長線と少なくとも一つの引き出し線との間の角度と、第２延長線と少なくとも一つの引き出し線との間の角度とが互いに異なる場合も可能である。上記第１及び第２延長線１３２ａ、１３２ｂにより、第１外部電極と内部コイルとの間の接触面積が増加し得る。実質的に第１外部電極と内部コイルとが接触しているエッジは図面に太い実線で示す。
【００４３】
上記第１及び第２延長線１３２ａ、１３２ｂは、切断工程の前には連続的に連結されているものであり、ダイシング切断面Ｄによって不連続に残存するようになったものである。より詳細な説明のために図６ｂを参照する。ここで、「切断工程の前には連続的に連結されている」とは、材料の違いによって境界線がある場合、又は材料の同一性によって境界線がない場合の両方を含むことを意味する。
【００４４】
図６ｂにおいて、ダイシング切断面Ｄの右側は切断後のチップの形として残存する領域（図６ａと一致）であり、左側は切断後のチップ以外の領域である。図６ｂから分かるように、コイル部品５００内に残存する第１延長線１３２ａ、１３２ｂの他に、上記第１延長線の延長部１３２ａ'及び第２延長線の延長部１３２ｂ'ならびに第３延長部１３２ｃ'をさらに含む。上記第１延長線の延長部１３２ａ'及び第２延長線の延長部１３２ｂ'ならびに第３延長部１３２ｃ'は、ダイシング工程後に除去される構成であるため、残存する構成と区別するために、図面符号の右上に「'」を付け加えて示した。上記第１延長線の延長部１３２ａ'と、第１延長線１３２ａ及び第２延長線１３２ｂと、第３延長部１３２ｃ'とは、全体的にＶ字形状を有するように形成される。これにより、ダイシングブレードを長さ方向に沿って移動させながら作動させる際に、ダイシングブレードの移動幅がかなり大きくても延長片の少なくとも一部を確保することができる可能性が高くなり、その結果、第１外部電極と第１引き出し部との間の接触面積を増加させることができる可能性が高くなる。
【００４５】
上記の説明を除いて、上述した本発明の一例によるコイル部品の第１引き出し部についての重複説明は、第２引き出し部にもそのまま適用できることはもちろんであり、説明の便宜のために、第２引き出し部についての具体的な説明は省略する。
【００４６】
上述した本発明によるコイル部品の場合、内部コイルの引き出し部の構造を改善することにより、外部電極と内部コイルの引き出し部との間の接触面積を最大に確保してＲｄｃ減少及び接着力増加の効果を導出し、過めっきを防止させてめっきの均一性を確保することができるという効果も導出することができる。
【００４７】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有するものには明らかである。
【００４８】
一方、本発明で用いられた「一例」という表現は、互いに同一の実施形態を意味せず、それぞれ互いに異なる固有の特徴を強調して説明するために提供されるものである。しかし、上記提示された一例は、他の一例の特徴と結合して実現されることを排除しない。例えば、特定の一例で説明された事項が他の一例で説明されていなくても、他の一例でその事項と反対であるか矛盾する説明がない限り、他の一例に関連する説明であると理解されることができる。
【００４９】
また、本発明で用いられた用語は、一例を説明するために説明されたものであり、本発明を限定しようとする意図ではない。このとき、単数の表現は文脈上明確に異なる意味でない限り、複数を含む。
【符号の説明】
【００５０】
１００  コイル部品
１  本体
１１  磁性材料
１２  支持部材
１３  コイル
１３１  コイル本体
１３２  第１引き出し部
１３３  第２引き出し部
１３２ａ、１３２ｂ  第１及び第２延長線
２１、２２  第１及び第２外部電極
【図１】
2018207093.tif 000003
【図２】
2018207093.tif 000004
【図３】
2018207093.tif 000005
【図４ａ】
2018207093.tif 000006
【図４ｂ】
2018207093.tif 000007
【図５ａ】
2018207093.tif 000008
【図５ｂ】
2018207093.tif 000009
【図６ａ】
2018207093.tif 000010
【図６ｂ】
2018207093.tif 000011